(57)【要約】    【課題】  水栓本体と配管との接続のための部品点数を削減して、製造コストの低い接続構造を提供すること。また、水栓本体と配管との接続作業を簡素化して接続作業の作業コストを低減できる接続構造の提供すること。    【解決手段】  埋込水栓１０の水栓本体１２と配管５０，６２，６４とを接続する埋込水栓の配管の接続構造１において、水栓本体１２には配管５０，６２，６４が接続される接続部７５ａ，ｂ，ｃを形成し、また水栓本体１２が固定されるステー８０を備え、ステー８０には配管５０，６２，６４が挿通される切り欠き１３１ａ，ｂ，ｃを形成し、配管５０，６２，６４の先端寄りには、切り欠き１３１ａ，ｂ，ｃの幅よりも大径の係止部５３を形成した。    【選択図】    図３
2006016759.tif 000002
【特許請求の範囲】
【請求項１】
埋込水栓の水栓本体と配管とを接続する埋込水栓の配管の接続構造であって、
前記水栓本体には前記配管が接続される接続部が形成され、
前記水栓本体が固定されるステーが備えられ、
前記ステーには前記配管が挿通される切り欠きが形成され、
前記配管の先端寄りには、前記切り欠きの幅よりも大径の係止部が形成されたことを特徴とする埋込水栓の配管の接続構造。
【請求項２】
前記配管は、その先端寄り外周面にシール部材が装着されるとともに、前記水栓本体の接続部に挿入されることを特徴とする請求項１に記載の埋込水栓の配管の接続構造。
【請求項３】
前記ステーが、ステー本体と固定プレートを備え、前記水栓本体は前記固定プレートに固定されることを特徴とする請求項１又は請求項２に記載の埋込水栓の配管の接続構造。
【発明の詳細な説明】
【技術分野】
【０００１】
本発明は、埋込水栓の水栓本体と配管とを接続する埋込水栓の配管の接続構造に関する。
【背景技術】
【０００２】
従来、美観上の問題などから、カウンターのパネル内などに収容されて、その水栓本体などが被覆される埋込水栓が知られている。このような埋込水栓では、水栓本体と配管との接続部分もパネルなどによって被覆されている。ここで、図５に示すように、従来の埋込水栓１４０において水栓本体１４６と配管１４１とは、いずれかに形成された雄ねじにナット１４２をねじ込んで両者を螺着したり、あるいは、別の部材であるクリップなどによって両者が固定されて接続されていた（例えば、特許文献１参照。）。
【０００３】
【特許文献１】特開２００１−２０７４９５公報（図１）
【発明の開示】
【発明が解決しようとする課題】
【０００４】
しかしながら、このような従来の埋込水栓の配管の接続構造１４３では、前記のようにナット１４２などによって水栓本体１４６と配管１４１とを接続するために、配管１４１の数と同数のナット１４２やクリップなどの部品が必要となるため、接続のための部品点数が増加し、また、配管毎にナットのねじ込み作業やクリップによる接続作業を行う必要があり、作業が煩雑となっていた。
【０００５】
本発明は前記した従来の埋込水栓の配管の接続構造の問題点を解消するものであり、水栓本体と配管との接続のための部品点数を削減して、製造コストの低い接続構造を提供することを目的とし、また、水栓本体と配管との接続作業を簡素化して接続作業の作業コストを低減できる接続構造の提供を目的とする。
【課題を解決するための手段】
【０００６】
以上の課題を解決するために、本発明の採った手段を以下に説明する。本発明の埋込水栓の配管の接続構造は、埋込水栓の水栓本体と配管とを接続する埋込水栓の配管の接続構造であって、前記水栓本体には前記配管が接続される接続部が形成され、前記水栓本体が固定されるステーが備えられ、前記ステーには前記配管が挿通される切り欠きが形成され、前記配管の先端寄りには、前記切り欠きの幅よりも大径の係止部が形成されたことを特徴とする埋込水栓の配管の接続構造である（請求項１）。
【０００７】
本発明では、配管に形成された係止部（例えば「鍔部」）がステーの切り欠きに係止されることにより、ステーに対して配管の抜け止めを行うことができる。そして、このステーに対して水栓本体がねじ止めなどにより固定されることにより、水栓本体の接続部と配管との接続作業を行うことができる。よって、ステーの切り欠きに対して配管を挿通し、水栓本体とステーとを固定するだけの接続作業によって水栓本体と配管とを接続できる。特に、接続する配管の数が多い場合には、配管の数と同じだけのナットなどを必要とすると共に配管の数だけナットのねじ込み作業が必要な従来の接続構造と異なり、埋込水栓の水栓本体を壁面に固定するために頻繁に用いられるステーを利用し、このステーを水栓本体にねじ止めなどすれば全ての配管の接続を行えるので、部品点数を削減でき、また、配管毎にナットのねじ込み作業などが必要とされず、作業工数も削減でき、極めて好適である。
【０００８】
本発明において「埋込水栓」とは、浴室などのカウンターのパネル等の内部に収容される水栓のみならず、水栓カバーや水栓ボックスなどに覆われる水栓も含むものである。また、水栓本体の「接続部」は、配管が挿入されるもの、これと逆に、配管に挿入されるもの、あるいは配管とその開口部端面同士が当接されて接続されるものなど、種々の態様を含む。また、水栓本体が固定される「ステー」は、ステー本体に別の部材を固定して、この別の部材に水栓本体が固定されるものなども含み、単一に形成されたものには限られない。「係止部」としては、前記した鍔部のほか、複数個以上の突起や、配管外周面に固定されるリング部材など種々のものを用いることができる。
【０００９】
また、このような埋込水栓の配管の接続構造において、配管は、その先端寄り外周面にシール部材が装着されるとともに、水栓本体の接続部に挿入されるものとすることもできる（請求項２）。
【００１０】
配管の外周面にシール部材を装着して水栓本体の接続部に挿入されるものとすることにより、水栓本体に対する配管の位置決めが所定位置よりも多少異なる場合であっても、配管外周面と接続部内周面との水密を確実に確保することができる。
【００１１】
また、このような埋込水栓の配管の接続構造において、ステーが、ステー本体と固定プレートを備え、水栓本体は固定プレートに固定されるものとすることもできる（請求項３）。      
【００１２】
このように構成することにより、パネル内や水栓カバー内などの制約された作業空間内において、パネルや水栓カバーなどに、水栓本体、ステーや配管などの各部品が干渉し、これらの各部品の接続・固定作業が困難となるおそれを減少させ、各部品の接続・固定作業を容易に行えるようにすることができる。
【発明の効果】
【００１３】
本発明は前記のように構成され、配管の接続のための部品点数を削減でき、作業工数も削減できるので、埋込水栓の配管の接続構造の製造コストを低減させることができ、また、接続作業の作業コストも低減させることができる。また、請求項２に記載の埋込水栓の配管の接続構造では、これに加えて、水栓本体と配管との水密を確実に確保することができる。また、請求項３に記載の埋込水栓の配管の接続構造では、これに加えて、パネル内や水栓カバー内などの限られた作業空間内でも各部品の接続作業を容易にし、作業を簡便化させることができる。
【発明を実施するための最良の形態】
【００１４】
次に、本発明の埋込水栓の配管の接続構造の実施の形態を図を参考にして詳細に説明する。図１及び図２に示すように、本発明の埋込水栓の配管の接続構造１は、壁面２に設置固定される水栓１０の水栓本体１２に配管５０，６２，６４（図３参照）を接続するものである。
【００１５】
水栓本体１２は、水栓本体１２外から供給される湯・水を混合する混合弁装置４０と、この混合弁装置４０において適宜混合された混合水が供給されるとともに、この混合水の吐止水、及び吐水管とシャワーからの吐水の切換を行うための切換弁装置６０とを備えている。水栓１０の下方には、湯側及び水側の配管３ａ及び３ｂがそれぞれ引き回されており、これらの配管３ａ，３ｂが水栓カバー１００内に引き込まれている。また、配管３ａ，３ｂの先端には、それぞれ止水栓ユニット１４がナット４によって接続固定されている。止水栓ユニット１４内には止水弁１５及び逆止弁１６が内蔵されており、これらを操作するための操作スピンドル１７及び操作つまみ１８が水栓１０正面側に向けてそれぞれ備えられている。そして、止水栓ユニット１４の接続部１９はクイックファスナー５によって、混合弁装置４０から突設される湯側接続管及び水側接続管４４にそれぞれ接続固定されている。このようにして、配管３ａ，３ｂから供給される湯・水は、混合弁装置４０へと流入される。
【００１６】
混合弁装置４０には、水栓１０正面側やや上方寄りに、斜め上方に向けて突出されて温度調節ハンドル４６が取り付けられている。この温度調節ハンドル４６を回動操作することにより、混合弁装置４０内において混合される混合水が所定温度となるように、内蔵されたサーモカートリッジ４８が駆動される。そして、混合弁装置４０において混合された混合水は混合配管５０を経て切換弁装置６０に流入される。
【００１７】
切換弁装置６０は、その長手方向を水栓１０正面側からみて真横となるようにして、水栓１０正面寄りに設けられている。また、図２及び図３に示すように、切換弁装置６０には、前記したように混合弁装置４０に接続される混合配管５０のほか、吐水管（図示省略）に接続される吐水配管６２、シャワー（図示省略）に接続されるシャワー配管６４がそれぞれ接続されている。本例では、これらの混合配管５０、吐水配管６２及びシャワー配管６４と、切換弁装置６０との接続に本実施例の取付構造１が用いられている。
【００１８】
また、切換弁装置６０には、水栓１０正面側から見て手前側に、水栓１０の上下方向において回動操作が可能な切換ハンドル６６が取り付けられている。図３に示すように、切換ハンドル６６は、切換弁装置６０の長手方向一端側のスピンドル７２に軸着された第一切換ハンドル部材６８と、他端側の水栓カバー１００のカバー本体部１０２に回動自在に軸着された第二切換ハンドル部材６９とを備えている。そして、第一切換ハンドル部材６８と第二切換ハンドル部材６８とは、これらに形成された嵌合部７０及び被嵌合部７１が嵌合されて一体化されている。第二切換ハンドル部材６９が軸着されたスピンドル７２は、固定ナット７３によってボデー６７に回動自在に固定されており、さらにスリーブ７４によって、固定ナット７３のボデー６７に対する緩み止めがなされている。
【００１９】
また、図３及び図４に示すように、スピンドル７２とは反対側のボデー６７には、ボデー６７を固定プレート１３０に当接させて固定プレート１３０に固定するための取付固定部７６が形成されている。取付固定部７６は、その当接面が固定プレート１３０に対応してほぼ面一に形成されており、この取付固定部７６に、混合配管５０、吐水配管６２及びシャワー配管６４が挿通接続される接続部７５ａ，ｂ，ｃがそれぞれ穿設されている。また、取付固定部７６には、その表側から裏側にかけて貫通された４つの挿通孔７７が形成されている。ボデー６７内部には、３つの通水室６１ａ，ｂ，ｃが形成されており、これらの通水室６１ａ，ｂ，ｃは接続部７５ａ，ｂ，ｃに各々連通されている。そして、切換ハンドル６６の回動操作によりスピンドル７２がいずれかの向きに回動され、切換弁６３が駆動されるように構成されている。
【００２０】
また、図２に示すように、水栓本体１２はステー８０に取付固定されている。このステー８０は、ステー本体８７と固定プレート１３０から構成されている。混合弁装置４０は、ステー本体８７の取付孔８１に挿通され、外周面に周設されたフランジ４１と、スペーサ６を介して取り付けられる固定ナット７とによって取付孔８１周縁のステー本体８７が挟持されて、ステー本体８７に固定されている。また、切換弁装置６０は、ねじ止めされる固定プレート１３０を介してステー本体８７に取付固定されている。
【００２１】
また、止水栓ユニット１４はステー本体８７下部の取付片８２にねじ止めされている。そして、ステー本体８７自体は、上方の固定片８４及び下方の固定片８５がそれぞれ壁面２にねじ止めされている。このようにして、水栓本体１２はステー８０を介して壁面２に固定されている。また、水栓カバー１００は、その上部においてステー本体８７のカバー取付用の取付片８３にねじ止めされている。
【００２２】
水栓カバー１００は、図１に示すように、カバー本体部１０２とメンテナンスカバー１０４とフタ１０６とを備えている。水栓カバー１００全体は、下方寄りを正面側に膨出させたボックス状に形成されており、水栓本体１２、止水栓ユニット１４、ステー８０などをその内部に収容している。また、カバー本体部１０２の正面上方寄りからは、手前側斜め上方に向けて、前記した温度調節ハンドル４６が突設されている。また、この温度調節ハンドル４６のやや下方で、カバー本体部１０２の正面側ほぼ中央には、前記した切換ハンドル６６が取り付けられている。
【００２３】
次いで、図３及び図４を参照して接続構造１について説明する。本接続構造１は、前記したように混合配管５０、吐水配管６２及びシャワー配管６４と切換弁装置６０とを接続するために用いられている。前記のように構成された切換弁装置６０は、図４に示すように、固定プレート１３０にねじ止めされ、さらにこの固定プレート１３０がステー本体８７に固定されて壁面２に対して固定されている。
【００２４】
図４に示すように、固定プレート１３０は方形の板状に形成されており、その長手方向の一端側の一方の長辺に沿って、３つの切り欠き１３１ａ，ｂ，ｃが形成されている。切り欠き１３１ａ，ｂ，ｃのそれぞれの幅は各配管５０，６２，６４の外径より僅かに大きく形成されており、後述するように各配管５０，６２，６４が挿通可能に構成されている。固定プレート１３０には、前記した切換弁装置６０の取付固定部７６に設けられた４つの挿通孔７７に対応する位置にそれぞれ、ねじ孔１３２が４つ刻設されており、これらの挿通孔７７とねじ孔１３２にねじ込まれるねじ８により切換弁装置６０と固定プレート１３０が固定される。また、切り欠き１３１ａ，ｂ，ｃと反対側の固定プレート１３０の長辺寄りには、ステー本体８７とビス止めするための３つの取付孔１３３が穿設されている。またステー本体８７には、これらの取付孔１３３と対応する位置に３つの取付孔８６がそれぞれ穿設されており、これらの取付孔１３３と取付孔８６とにねじ込まれるねじ８により、固定プレート１３０とステー本体８７とが固定される。
【００２５】
また、各配管５０，６２，６４の先端寄りの外径は、切り欠き１３１ａ，ｂ，ｃの幅よりも僅かに小さく形成されており、図３に示すように、各配管５０，６２，６４が切り欠き１３１ａ，ｂ，ｃ内に挿入することができる。各配管５０，６２，６４の先端部には、取付固定部７６の接続部７５ａ，ｂ，ｃの内径よりも僅かに小さい外径の鍔部５１が周設されている。また、この鍔部５１より基端側の外周面にはＯリング５２が装着されており、さらに、このＯリング５２よりも基端側には、切り欠き１３１ａ，ｂ，ｃの幅よりも大径の係止部５３が周設されている。そして、各配管５０，６２，６４は、その先端部がそれぞれ接続部７５ａ，ｂ，ｃに挿入されるとともに、係止部５３が固定プレート１３０の切り欠き１３１ａ，ｂ，ｃによって係止されて接続部７５ａ，ｂ，ｃからの各配管５０，６２，６４の抜け止めがなされ、さらにＯリング５２によって接続部７５ａ，ｂ，ｃと各配管５０，６２，６４との水密がなされている。なお、Ｏリング５２については、係止部５３と固定プレート１３０との間に装着して接続部７５ａ，ｂ，ｃ内周面との水密を確保することもできるが、本例のように係止部５３よりも配管５０，６２，６４の先端側、すなわち接続部７５ａ，ｂ，ｃ奥側に装着され係止部５３により配管５０，６２，６４基端側への不要な移動を規制されることにより、例えば、ボデー６７が配管５０，６２，６４から離れるように引っ張られるような力が加わった場合でも、配管５０，６２，６４から外周面と接続部７５ａ，ｂ，ｃ内周面との水密を確実に確保することができる。
【００２６】
次いでこのように構成された接続構造１を用いて、切換弁装置６０と各配管５０，６２，６４とを接続する作業方法について説明する。図４に示すように、まず、あらかじめＯリング５２が装着された各配管５０，６２，６４を固定プレート１３０の切り欠き１３１ａ，ｂ，ｃにそれぞれ挿入する。この際には、各配管５０，６２，６４の係止部５３よりも基端側の外周面に切り欠き１３１ａ，ｂ，ｃを位置させ、各配管５０，６２，６４が固定プレート１３０の手前側に抜けないように挿入する。次に、切り欠き１３１ａ，ｂ，ｃに挿入したまま各配管５０，６２，６４を切換弁装置６０の接続部７５ａ，ｂ，ｃにそれぞれ挿入する。図３に示すように、接続部７５ａ，ｂ，ｃの奥行きには適度に余裕を持たせてあり、各配管５０，６２，６４の挿入具合を所定量調節することが可能となっている。各配管５０，６２，６４の外周面にＯリング５２が装着されているので、各配管５０，６２，６４の接続部７５ａ，ｂ，ｃへの挿入具合が多少変化しても、各配管５０，６２，６４の外周面と接続部７５ａ，ｂ，ｃ内周面とにＯリング５２が適度に圧着され、両部材間の水密は確保される。
【００２７】
そして、取付固定部７６に設けられた４つの挿通孔７７から固定プレート１３０のねじ孔１３２にそれぞれねじ８をねじ込んで、切換弁装置６０と固定プレート１３０とを固定する。この状態で、Ｏリング５２により水密が確保されつつ各配管５０，６２，６４と接続部７５ａ，ｂ，ｃが連通接続され、切換弁装置６０と各配管５０，６２，６４との接続が完了する。このように、取付構造１では、それぞれの配管５０，６２，６４をおのおの固定プレート１３０の切り欠き１３１ａ，ｂ，ｃに挿入し、さらに切換弁装置６０の接続部７５ａ，ｂ，ｃに挿入し、ねじ８によって切換弁装置６０と固定プレート１３０とをねじ止めするだけで極めて簡便に両者の接続作業を終えることができる。特に、本水栓１０のように多数の配管５０，６２，６４を切換弁装置６０に接続する場合に、各配管毎にナットを用いて締め付けを行う必要はなく、固定プレート１３０のみを用いて接続を行うことができるので、接続のためのナットなどの数を削減でき、また、接続作業の工数も削減することができ好適である。
【００２８】
そしてさらに、固定プレートの取付孔１３３とステー本体８７の取付孔８６とをそれぞれねじ止めして、ステー本体８７に対して切換弁装置６０及び各配管５０，６２，６４が固定される。なお、本例では、まず固定プレート１３０に切換弁装置６０を固定し、さらに固定プレート１３０をステー本体８７に固定しており、ステー８０をステー本体８７と固定プレート１３０の別体の部材により構成している。このように構成することにより、水栓カバー１００内の制約された作業空間内において、まずは、ステー本体８７に対して比較的小さな固定プレート１３０に切換弁装置６０を固定しておき、さらにこれをステー本体８７に固定することにより、水栓カバー１００に切換弁装置６０や配管類などの各部品が干渉して接続・固定作業が困難となることなく、各部品の接続・固定作業を容易に行えるようにされている。
【００２９】
本発明は前記した実施の形態に限られるものではなく、本発明の趣旨の範囲内で種々の変更が可能である。例えば、前記した取付構造１では３つの配管を接続する例を示したが、他の数の配管を接続する水栓に用いることとしても良い。また、本取付構造１では固定プレート１３０を介してステー本体８７に切換弁装置６０を固定しているが、固定プレート１３０とステー本体８７とを一体的に形成するものとしても良い。このような態様では、固定プレート１３０とステー本体８７とをねじ止めする必要も無くなり、切換弁装置６０とステー８０との固定に関する部品点数の削減及び固定作業工数の削減が可能である。しかしながら、前記したように水栓カバー１００内などの制約された空間内で各部品の接続・固定作業を容易に行えるようにするためには、ステー８０をステー本体８７と固定プレート１３０との別体の部品から構成して、事後的に互いに固定するものとすることが好ましい。
【図面の簡単な説明】
【００３０】
【図１】本発明の接続構造を用いた埋込水栓の一部分解正面図である。
【図２】図１の水栓の側面視縦断面図である。
【図３】接続構造の底面視横断面図である。
【図４】接続構造の分解斜視図である。
【図５】従来の接続構造を用いた水栓の縦断面図である。
【符号の説明】
【００３１】
１；埋込水栓の配管の接続構造、２；壁面、３ａ，３ｂ；配管、４；ナット、５；クイックファスナー、６；スペーサ、７；固定ナット、８；ねじ８、１０；水栓、１２；水栓本体、１４；止水栓ユニット、１５；止水弁、１６；逆止弁、１７；操作スピンドル、１８；操作つまみ、１９；上部接続部、４０；混合弁装置、４１；フランジ、４４；水側接続管、４６；温度調節ハンドル、４８；サーモカートリッジ、５０；混合配管、５１；鍔部、５２；Ｏリング、５３；係止部、６０；切換弁装置、６１ａ，ｂ，ｃ；通水室、６２；吐水配管、６３；切換弁、６４；シャワー配管、６６；切換ハンドル、６７；ボデー、６８；第一切換ハンドル部材、６９；第二切換ハンドル部材、７０；嵌合部、７１；被嵌合部、７２；スピンドル、７３；固定ナット、７４；スリーブ、７５ａ，ｂ，ｃ；接続部、７６；取付固定部、７７；挿通孔、８０；ステー、８１；取付孔、８２；取付片、８３；取付片、８４；固定片、８５；固定片、８６；取付孔、８７；ステー本体、１００；水栓カバー、１０２；カバー本体部、１０４；メンテナンスカバー、１０６；フタ、１３０；固定プレート、１３１ａ，ｂ，ｃ；切り欠き、１３２；ねじ孔、１３３；取付孔、１４０；埋込水栓、１４１；配管、１４２；ナット、１４３；接続構造、１４６；水栓本体。
【図１】
2006016759.tif 000003
【図２】
2006016759.tif 000004
【図３】
2006016759.tif 000005
【図４】
2006016759.tif 000006
【図５】
2006016759.tif 000007